(57)【特許請求の範囲】
【請求項１】
放送予定の番組に関する情報を含む番組情報から、所望のキーワードの一部又は全部を含む番組を抽出する録画番組抽出手段と、
前記録画番組抽出手段によって抽出した番組から、複数回に分けて放送又は配信される連続番組であって、該連続番組の過去に放送又は配信された番組のうち所定回数以上が録画済みである連続番組を抽出する連続番組抽出手段と、
該録画済である番組のうち少なくとも１つ以上の番組が再生済みである連続番組を抽出する再生済連続番組抽出手段と、
予約録画する番組を指定する録画予約情報に、前記再生済連続番組抽出手段で抽出した連続番組を追加する予約録画番組指定手段と、
を備えることを特徴とする録画装置。
【請求項２】
所定期間に放送又は配信される予定の番組に関する番組情報を取得する番組情報取得手段をさらに備え、
前記録画番組抽出手段は、前記番組情報から前記キーワードに関連する番組を抽出することを特徴とする請求項１記載の録画装置。
【請求項３】
前記キーワードに関連する番組は、前記番組情報が有する番組タイトルの全部又は一部と前記キーワードとが一致する番組である、
ことを特徴とする請求項２に記載の録画装置。
【請求項４】
前記録画予約情報にしたがって番組を録画するとともに、該録画した連続番組の番組タイトルと、該連続番組を録画した順番に付される連番と、該連続番組を再生したか否かを示す視聴履歴とを少なくとも有する録画済番組情報を生成する予約録画手段をさらに備えることを特徴とする請求項１に記載の録画装置。
【請求項５】
録画を行うコンピュータに、
放送予定の番組に関する情報を含む番組情報から、所望のキーワードの一部又は全部を含む番組を抽出する録画番組抽出ステップと、
前記録画番組抽出ステップによって抽出した番組から、複数回に分けて放送又は配信される連続番組であって、該連続番組の過去に放送又は配信された番組のうち所定回数以上が録画済みである連続番組を抽出する連続番組抽出ステップと、
該録画済である番組のうち少なくとも１つ以上の番組が再生済みである連続番組を抽出する再生済連続番組抽出ステップと、
予約録画する番組を指定する録画予約情報に、前記再生済連続番組抽出ステップで抽出した連続番組を追加する予約録画番組指定ステップと、
を実行させることを特徴とするプログラム。
【請求項６】
所定期間に放送又は配信される予定の番組に関する番組情報を取得する番組情報取得ステップ、をさらに録画を行なうコンピュータに実行させ、
前記録画番組抽出ステップは、前記番組情報から前記キーワードに関連する番組を抽出する、
ことを特徴とする請求項５記載のプログラム。
【請求項７】
前記キーワードに関連する番組は、前記番組情報が有する番組タイトルの全部又は一部と前記キーワードとが一致する番組である、
ことを特徴とする請求項６に記載のプログラム。
【請求項８】
前記録画予約情報にしたがって番組を録画するとともに、該録画した連続番組の番組タイトルと、該連続番組を録画した順番に付される連番と、該連続番組を再生したか否かを示す視聴履歴とを少なくとも有する録画済番組情報を生成する予約録画ステップ、をさらに録画を行なうコンピュータに実行させることを特徴とする請求項５に記載のプログラム。
【発明の詳細な説明】
【技術分野】
【０００１】
本発明は、所望のキーワードに関連する番組を自動的に録画する録画装置に関する。
【背景技術】
【０００２】
近年、文字放送やインターネットなどのネットワークを利用して一定期間毎の番組予定を提供するサービスが行われている。また、このサービスを利用して、利用者が指定する任意のキーワードと一部又は全部が一致する番組を自動的に録画する自動録画装置が提供されている。【０００３】
しかし、このキーワードによる自動録画では、利用者が望んでいる番組以外の番組を録画される場合が少なくない。そのため、必要以上にＨＤＤ（Ｈａｒｄ  Ｄｉｓｋ  Ｄｒｉｖｅ）やビデオテープのスペースを浪費してしまうという問題があった。【０００４】
また、ＨＤＤやビデオテープを必要以上に浪費してしまうため、利用者が録画したいと思っていた番組を録画することができない場合が生じるという問題もあった。
特許文献１には、選局や録画をする際に、優先順位を付けた推薦候補の中から番組を選択させるインターフェイスや自動操作機能を備えることにより操作を簡単にする映像機器について開示されている。【０００５】
特許文献２には、連続番組の録画の手間を軽減するために、録画または録画予約された番組の放送内容に対して連続性のある放送内容を持つ番組を放送予定の番組情報から抽出して録画予約する機能を有する録画予約装置について開示されている。【０００６】
特許文献３には、利用者が録画した番組から利用者の好みを推定し、好みに合う番組を番組データから抽出して推薦番組として提案する番組受信装置について開示されている。
特許文献４には、録画したものを、再生したか否かを判断する録画装置について開示されている。【０００７】
特許文献５には、録画したものの、再生状況を判断する手段を有し、使用者の興味ないものと判断した時、録画された番組を消去する録画装置について開示されている。
【特許文献１】特開平０７−１３５６２１号公報
【特許文献２】特開平１１−２５２４９４号公報
【特許文献３】特開２０００−３４１５９９号公報
【特許文献４】特開２００４−８８６３４号公報
【特許文献５】特開２００１−２５７９８６号公報
【発明の開示】
【０００８】
本発明は、上述した問題に鑑みてなされたものであり、その解決しようとする課題は、指定したキーワードに関連する番組の中から利用者の希望する番組だけを録画することができる録画装置を提供することである。
【０００９】
上記課題を解決するために、本発明に係る録画装置は、所望のキーワードに関連する番組を抽出する録画番組抽出手段と、前記録画番組抽出手段によって抽出した番組から、複数回に分けて放送又は配信される連続番組であって、該連続番組の過去に放送又は配信された番組のうち所定回数以上が録画済みである連続番組を抽出する連続番組抽出手段と、該録画済である番組のうち少なくとも１つ以上の番組が再生済みである連続番組を抽出する再生済連続番組抽出手段と、予約録画する番組を指定する録画予約情報に、前記再生済連続番組抽出手段で抽出した連続番組を追加する予約録画番組指定手段と、を備える。
【００１０】
本発明によると、本発明に係る録画装置は、過去に放送又は配信された番組のうち所定回数以上が録画済みである連続番組であって、少なくとも１つ以上の番組が再生済みの連続番組（再生履歴がある連続番組）を抽出し、当該連続番組を録画予約情報に追加する。
【００１１】
その結果、例えば、既に録画されている連続番組に再生履歴があれば今後も予約録画を継続するために当該連続番組を録画予約情報に追加し、既に録画されている連続番組に再生履歴がなければ今後の予約録画を中止するために当該連続番組を録画予約情報から除外することができる。
【００１２】
すなわち、録画された連続番組の再生状況に応じて予約録画する番組を抽出して録画予約情報を生成することにより、指定したキーワードに関連する番組の中から利用者の希望する連続番組だけを録画することが可能となる効果を奏する。
【００１３】
以上に説明したように、本発明によると、指定したキーワードに関連する番組の中から利用者の希望する番組だけを録画することができる録画装置を提供することが可能となる。
【図面の簡単な説明】
【００１４】
【図１】本発明の実施例に係る録画装置の概要を説明する図である。
【図２】本発明の実施例に係る録画装置の構成図の例を示す図である。
【図３】本実施例に係る予約テーブルの例を示す図である。
【図４】本実施例に係る録画済リストの例を示す図である。
【図５】本実施例に係る予約テーブルの生成処理の概要を示すフローチャートである。
【図６】本実施例に係る録画装置の予約録画処理を示すフローチャートである。
【図７】本実施例に係る録画装置の再生処理を示すフローチャートである。
【図８】本実施例に係る予約テーブルの生成処理の詳細を示すフローチャートである。
【発明を実施するための最良の形態】
【００１５】
本発明の実施の形態について図１〜図８に基づいて説明する。
図１は、本発明の実施例に係る録画装置の概要を説明する図である。
図１に示す録画装置１０は、キーワードに関連する番組を抽出する録画番組抽出手段１１と、連続番組を抽出する連続番組抽出手段１２と、少なくとも１つ以上の番組が再生済みである連続番組を抽出する再生済連続番組抽出手段１３と、再生済連続番組抽出手段１３で抽出した連続番組を録画予約情報１５に追加する予約録画番組指定手段１４と、を少なくとも備える。【００１６】
録画番組抽出手段１１は、利用者が指定したキーワードに関連する番組を番組情報などから抽出する。「キーワードに関連する番組」とは、例えば、番組タイトルの全部又は一部がキーワードと一致する番組である。ただし、これに限定する趣旨ではなく、番組情報（データ形式、データフォーマット）に最適な方法でキーワードに関連する番組を抽出すればよい。【００１７】
連続番組抽出手段１２は、録画番組抽出手段１１が抽出した番組のうち、複数回に分けて放送又は配信される連続番組であって、連続番組の過去に放送又は配信された番組のうち所定回数以上が録画済みである連続番組を抽出する。【００１８】
ここで、「連続番組」とは、複数回に分けて放送又は配信される番組のことをいい、例えば、毎週特定の曜日に放送される連続ドラマや、月曜日〜金曜日の同じ時間帯に放送される番組などを示す。【００１９】
また、「所定回数以上が録画済みである連続番組」とは、例えば、所定の回数を３回とした場合に、全１２回放送の連続番組の第１回から第３回（第１回から始まる必要はない）までの放送分が既に録画されている連続番組のことをいう。【００２０】
再生済連続番組抽出手段１３は、録画済み番組のうち少なくとも１つ以上の番組が再生済みである連続番組を抽出し、予約録画番組指定手段１４は、予約録画する番組を指定する録画予約情報１５に、再生済連続番組抽出手段１３で抽出した連続番組を追加する。【００２１】
例えば、上述の例において、既に録画されている第１回から第３回の連続番組のうちいずれの番組も再生されていない（再生履歴がない）場合には録画予約情報１５から当該連続番組を除外する、又は録画予約情報１５に当該連続番組を追加しない、ということであり、既に録画されている第１から第３回の連続番組の少なくとも１つが再生されている場合には録画予約情報１５に当該連続番組を追加する、ということである。【００２２】
なお、「少なくとも１つが再生されている場合」に限定する趣旨ではなく、例えば、必要に応じて、既に録画されている第１回から第３回の連続番組の少なくとも２つ以上の番組が再生されていない場合に録画予約情報１５から当該連続番組を除外するようにしてもよい。【００２３】
また、本実施例に係る録画装置１０は、番組情報を取得する番組情報取得手段１６と、録画予約情報１５にしたがって番組を録画する予約録画手段１７と、をさらに備えている。
番組情報取得手段１６は、所定期間に放送又は配信される予定の番組に関する番組情報を取得して録画番組抽出手段１１に出力する。例えば、テレビ放送やインターネット等から番組情報を取得する。番組情報とは、所定期間に放送又は配信が予定されている番組の情報である。なお、「配信される」とは、例えば、インターネット等のネットワークや専用ケーブルを介して配信されることである。【００２４】
予約録画手段１７は、録画予約情報１５にしたがって番組を録画するとともに、録画した連続番組の番組タイトルと、該連続番組を録画した順番に付される連番と、連続番組を再生したか否かを示す視聴履歴と、を少なくとも有する録画済番組情報を生成する。【００２５】
図２は、本発明の実施例に係る録画装置２００の構成図の例を示す図である。
図２に示す録画装置２００は、キーワードに基づいて自動的に録画予約を行なう自動予約部２０１と、手動で録画予約を行なう手動予約部２０２と、自動予約部２０１及び手動予約部２０２が生成する予約テーブル２０３に指定された時刻を監視するタイマ部２０４と、予約テーブル２０３に指定された時刻に指定された放送局を選局するように制御するチャンネル制御部２０５と、チャンネル制御部２０５が指示した放送局を選局する選局部２０６と、放送局から送られるテレビ番組や電子番組ガイド（ＥＰＧ：Ｅｌｅｃｔｒｏｎｉｃ  Ｐｒｏｇｒａｍ  Ｇｕｉｄｅ）を受信するアンテナ２０７と、受信した番組をハードディスク２０８に記憶するとともに記憶した番組を録画済リスト２０９に追加する録画部２１０と、ハードディスク２０８に記憶した番組（以下、「録画番組」という）を表示部２１１に表示する再生部２１２と、再生部２１２が再生した番組の視聴履歴を取得して録画済リスト２０９に追加する２１３と、録画済リスト２０９の視聴履歴をチェックして録画番組の再生状況を自動予約部２０１に通知する視聴履歴チェック部２１４と、を備えている。【００２６】
自動予約部２０１は、図示しない入力手段により利用者が入力するキーワードを取得する。そして、定期的に受信する電子番組ガイドからキーワードに関連する番組一覧を抽出する。【００２７】
また、抽出した番組のうち既に所定の回数録画されている連続番組の視聴履歴を視聴履歴チェック部２１４によってチェックする。
そして、当該連続番組に視聴履歴がない場合には、予約テーブル２０３から除外する。又は予約テーブル２０３に追加しない。【００２８】
手動予約部２０２は、図示しない入力手段によって利用者が入力（指定）する番組を予約テーブル２０３に追加する。
なお、本実施例では、アンテナ２０７からテレビ番組や電子番組ガイドを受信しているが、例えば、アンテナ２０７に替えてネットワーク接続装置を使用して、インターネット等のネットワークや専用ケーブルを介して配信される番組を取得してもよい。【００２９】
以上に説明した構成において、番組情報取得手段１６は、自動予約部２０１とタイマ部２０４とチャンネル制御部２０５と選局部２０６とアンテナ２０７とで実現できる。
また、録画番組抽出手段１１、連続番組抽出手段１２、再生済連続番組抽出手段１３、予約録画番組指定手段１４は、自動予約部２０１と、必要に応じて、予約テーブル２０３、録画済リスト２０９、視聴履歴チェック部２１４を使用することで実現できる。【００３０】
また、録画予約情報１５は、予約テーブル２０３で実現でき、予約録画手段１７は、予約テーブル２０３とタイマ部２０４とチャンネル制御部２０５と選局部２０６とアンテナ２０７とハードディスク２０８と録画部２１０とで実現できる。【００３１】
図３は、本実施例に係る予約テーブル２０３の例を示す図である。
図３に示す予約テーブル２０３は、「自動」と「タイトル」と「日時」の項目で構成されている。【００３２】
「自動」は、自動予約部２０１で指定された番組タイトルか否かを示す。すなわち、”Ｙｅｓ”の場合は自動予約部２０１が指定した番組タイトルを示し、”Ｎｏ”の場合は手動予約部２０２が指定した番組タイトルを示す。「タイトル」は、予約録画する番組の番組タイトルを示す。「日時」は、その番組の放送予定日時を示している。【００３３】
図４は、本実施例に係る録画済リスト２０９の例を示す図である。
図４に示す録画済リスト２０９は、「自動」と「視聴済」と「連番」と「タイトル」と「日時」の項目で構成されている。【００３４】
「自動」は、自動予約部２０１が指定した番組を録画したものか否かを示す。”Ｙｅｓ”は自動予約部２０１が指定した番組を録画したことを示し、”Ｎｏ”は手動予約部２０２が指定した番組を録画したことを示す。【００３５】
「視聴済」は、当該番組タイトルの番組が再生されたか否か、すなわち、利用者が視聴済みか否かを示す視聴履歴である。”Ｙｅｓ”は視聴済みを示し、”Ｎｏ”は視聴していないことを示す。【００３６】
「連番」は、連続番組の録画回数を示す。図４に示す録画済リスト２０９の例では、全１２回放送の連続番組（タイトルＡ）の第１回放送分（２００５年１０月１日２１：００〜２３：００放送）と第２回放送分（２００５年１０月８日２１：００〜２３：００放送）と第３回放送分（２００５年１０月１５日２１：００〜２３：００放送）が録画されている場合を示しているので、その「連番」はそれぞれ”１”、”２”、”３”となっている。なお、予約録画を開始した放送分から連番が付されるので、第２回放送分から４回放送分が録画された場合でも、その「連番」はそれぞれ”１”、”２”、”３”となる。【００３７】
「タイトル」は、録画部２１０が録画した番組の番組タイトルを示し、「日時」は、番組を録画した日時を示す。
以下、図５〜図７に、本実施例に係る録画装置２００の処理の概要を示す。【００３８】
図５は、本実施例に係る予約テーブル２０３の生成処理の概要を示すフローチャートである。
利用者がキーワードによる自動録画の設定を開始すると（ステップＳ５００）、録画装置２００は、処理をステップＳ５０１に移行する。【００３９】
ステップＳ５０１において、自動予約部２０１は、利用者が入力したキーワードを取得する。そして、処理をステップＳ５０２に移行する。さらに、ステップＳ５０２において、自動予約部２０１は、チャンネル制御部２０５に指示を行なってＥＰＧを受信する。【００４０】
ここで、ＥＰＧは、所定の日時から１週間に放送される予定の番組に関する情報であって、各番組の番組タイトルと放送日時とを少なくとも構成要素とするテキストデータである。但し、テキストデータである必要はなく、例えば、ＸＭＬ形式やＨＴＭＬ形式であってもよい。【００４１】
ＥＰＧを受信すると、自動予約部２０１は、処理をステップＳ５０３に移行する。そして、ステップＳ５０１で取得したキーワードと一部又は全部が一致する番組タイトルの番組をＥＰＧから取得して予約テーブル２０３に追加する。予約テーブル２０３が存在しない場合には予約テーブル２０３を生成した後に当該番組を追加する。【００４２】
この時、自動予約部２０１は、録画済リスト２０９を参照し、ＥＰＧから取得した番組のうち連続番組を特定する。そして、各連続番組において録画されている最新の放送分から過去３回分の視聴履歴を確認し、いずれも視聴済でない場合には、当該連続番組を予約テーブル２０３から除外する。【００４３】
以上に説明したステップＳ５０２〜Ｓ５０３の処理は、キーワードによる自動録画を利用者が停止するまで、定期的（例えば、一週間毎）に実行される。
図６は、本実施例に係る録画装置２００の予約録画処理を示すフローチャートである。【００４４】
予約テーブル２０３に指定された日時をタイマ部２０４が検出すると、自動予約部２０１は、予約録画を開始する（ステップＳ６００）。
ステップＳ６０１において、自動予約部２０１は、チャンネル制御部２０５に予約テーブル２０３で指定された放送局を選局させる。そして、録画部２１０にアンテナ２０７で受信した番組の録画を行なわせる。【００４５】
番組録画が完了すると、録画部２１０は、処理をステップＳ６０２に移行して録画済リスト２０９に当該録画番組を追加する。録画済リスト２０９が存在しない場合には録画済リスト２０９を生成した後に当該録画番組を追加する。【００４６】
この時、録画部２１０は、予約テーブル２０３を参照して、予約テーブル２０３から当該録画番組の「自動」、「タイトル」及び「日時」を取得して録画済リスト２０９に追加する。【００４７】
さらに、録画済リスト２０９を参照して、当該録画番組と同一の番組タイトルを検索する。録画済リスト２０９に当該録画番組と同一の番組タイトルがあれば、最も現在の日時に近いものの連番に１だけインクリメントした値を当該録画番組の「連番」に格納する。【００４８】
録画済リスト２０９への追加が完了すると、録画装置２００は、ステップＳ６０３に移行して予約録画処理を終了する。
図７は、本実施例に係る録画装置２００の再生処理を示すフローチャートである。【００４９】
利用者が録画番組の再生を開始すると（ステップＳ７００）、録画装置２００は、処理をステップＳ７０１に移行する。
ステップＳ７０１において、再生部２１２は、再生した録画番組を視聴履歴取得部２１３に通知して処理をステップＳ７０２に移行する。そして、ステップＳ７０２において、視聴履歴取得部２１３は、通知のあった録画番組の録画済リスト２０９における「視聴済」を”Ｙｅｓ”にして視聴履歴を追加する。【００５０】
なお、録画済リスト２０９への視聴履歴の追加は、当該録画番組の再生が終了した後に行なってもよい。
図８は、本実施例に係る予約テーブルの生成処理を示すフローチャートである。【００５１】
図５に示したステップＳ５０２においてＥＰＧを受信すると、自動予約部２０１は、処理をステップＳ８００に移行して予約テーブル生成処理を開始する。
ステップＳ８０１において、自動予約部２０１は、ＥＰＧの各番組タイトルに新番組を表すキーワード（本実施例では、「新番組」をキーワードに使用）が含まれている番組を検索する。【００５２】
ステップＳ８０２において、「新番組」を番組タイトルに含む番組を検出すると、自動予約部２０１は、処理をステップＳ８０７に移行する。そして、ステップＳ８０１で検出した番組を予約テーブル２０３に追加する。また、「新番組」を番組タイトルに含む番組を検出しない場合には、処理をステップＳ８０３に移行する。【００５３】
ステップＳ８０３において、自動予約部２０１は、ＥＰＧを参照し、図５のステップＳ５０１で取得したキーワード（利用者が指定した任意のキーワード）と一部又は全部が一致する番組タイトルの番組を検出する。なお、図示しないがキーワードの一部又は全部と一致する番組タイトルがない場合には、予約テーブル生成処理を終了する。【００５４】
ステップＳ８０４において、自動予約部２０１は、ステップ８０３で検出した番組が「連続番組」であるか否かを確認する。例えば、自動予約部２０１が、録画済リスト２０９を参照し、ステップＳ８０３で検出した番組の番組タイトルと一致する番組タイトルを検索する。そして、該当する番組タイトルが少なくとも１つ以上あれば「連続番組」と判断する。【００５５】
ステップＳ８０３で検出した番組が「連続番組」でない場合、自動予約部２０１は、処理をステップＳ８０７に移行する。そして、当該番組を予約テーブル２０３に追加する。
また、ステップＳ８０３で検出した番組が「連続番組」である場合、自動予約部２０１は、処理をステップＳ８０５に移行する。【００５６】
ステップＳ８０５において、自動予約部２０１は、録画済リスト２０９を参照し、最も現在の日時に近い当該連続番組の連番を取得する。そして連番が３未満の場合、自動予約部２０１は、当該連続番組の録画回数は３回未満と判断して処理をステップＳ８０７に移行する。【００５７】
また、連番が３以上の場合、自動予約部２０１は、当該連続番組の録画回数は３回以上であると判断し、処理をステップＳ８０６に移行する。
ステップＳ８０６において、自動予約部２０１は、録画済リスト２０９を参照する。そして、当該連続番組の視聴履歴を参照し、視聴履歴があるか否かを判別する。視聴履歴がある場合には処理をステップＳ８０７に移行し、当該連続番組を予約テーブル２０３に追加する。また、視聴履歴がない場合には処理をステップＳ８０８に移行し、当該連続番組の予約テーブル２０３への追加を中止する。【００５８】
以上に説明した処理において、ステップＳ８０５及びＳ８０６では、録画回数が３回以上の連続番組を抽出して視聴履歴の確認を行なっているが、これに限定されないのは当然である。必要に応じて、例えば、５回以上の連続番組を抽出してもよい。【００５９】
また、ステップＳ８０６では、既に録画されている番組全てに視聴履歴がない場合に予約テーブル２０３への追加を抑止しているが、この条件に限定しない。例えば、既に録画されている番組の少なくとも２つ以上に視聴履歴がない場合に予約テーブル２０３への追加を抑止してもよい。【００６０】
以上に説明したように、本実施例に係る録画装置２００は、ＥＰＧからキーワードと一部又は全部が一致する番組を抽出する。そして、抽出した番組から既に３回以上録画されている連続番組であって視聴履歴がないものを除いて予約テーブル２０３に追加するので、利用者が視聴しない連続番組、すなわち、利用者が望んでいない連続番組の自動録画を防止して、利用者が望む番組だけを録画することが可能となる。【００６１】
また、その結果、ＨＤＤやビデオテープを必要以上に浪費することを防止することが可能となる。
【図１】
0004729101.tif 000002
【図２】
0004729101.tif 000003
【図３】
0004729101.tif 000004
【図４】
0004729101.tif 000005
【図５】
0004729101.tif 000006
【図６】
0004729101.tif 000007
【図７】
0004729101.tif 000008
【図８】
0004729101.tif 000009